(57)【要約】【課題】中央部が外周部よりへこみ、中央部に穴が形成された振動板と、外周部に振動板の外周部が取り付けられたフレームと、フレームの底部に設けられ、磁気発生手段，ヨークからなり、振動板の振動方向と直交する磁界が発生する磁気ギャップを有する磁気回路と、筒状のボビン，ボビンの外周面に巻回されたコイルからなるボイスコイルと、振動板，磁気回路の間に配置され、外周部はフレームに取り付けられ、中央部には、コイルが磁気回路の磁気ギャップに位置するように、ボイスコイルのボビンが取り付けられ、中央部，外周部の間は、振動板の振動方向に可撓な柔軟部が形成されたダンパと、を有するスピーカユニットに関し、薄型化が図れるスピーカユニットを提供することを課題とする。【解決手段】ダンパ５１の波形形成部（柔軟部）５１ｅ,取付部（外周部）５１ａ，５１ｂは、ダンパ５１の中央部５１ｄよりフレームの底部側にあるように構成する。【選択図】図１
2012100190.tif 000002
【特許請求の範囲】
【請求項１】
中央部が外周部よりへこみ、前記中央部に穴が形成された振動板と、
外周部に前記振動板の外周部が取り付けられたフレームと、
前記フレームの底部に設けられ、磁気発生手段，ヨークからなり、前記振動板の振動方向と直交する磁界が発生する磁気ギャップを有する磁気回路と、
筒状のボビン，該ボビンの外周面に巻回されたコイルからなるボイスコイルと、
前記振動板，前記磁気回路の間に配置され、外周部は前記フレームに取り付けられ、中央部には、前記コイルが前記磁気回路の磁気ギャップに位置するように、前記ボイスコイルのボビンが取り付けられ、前記中央部，前記外周部の間は、前記振動板の振動方向に可撓な柔軟部が形成されたダンパと、
を有するスピーカユニットにおいて、
前記ダンパの柔軟部,外周部は、前記ダンパの中央部より前記フレームの底部側にあることを特徴とするスピーカユニット。
【請求項２】
前記振動板の外周形状は、細長形で、
前記ダンパは、
前記振動板の細長形状に対応した細長形状で、
外周部の長手方向の両端部が前記フレームに取り付けられていることを特徴とする請求項１記載のスピーカシステム。
【請求項３】
前記細長形状のダンパの短手方向の幅は、
前記中央部より前記柔軟部，前記外周部の方が狭いことを特徴とする請求項２記載のスピーカシステム。
【発明の詳細な説明】
【技術分野】
【０００１】
本発明は、中央部が外周部よりへこみ、前記中央部に穴が形成された振動板と、外周部に前記振動板の外周部が取り付けられたフレームと、前記フレームの底部に設けられ、磁気発生手段，ヨークからなり、前記振動板の振動方向と直交する磁界が発生する磁気ギャップを有する磁気回路と、筒状のボビン，該ボビンの外周面に巻回されたコイルからなり、該コイルが前記磁気回路の磁気ギャップに位置するように、前記ボビンが前記振動板の穴に取り付けられるボイスコイルと、前記振動板，前記磁気回路の間に配置され、中央部に前記ボイスコイルのボビンが取り付けられる穴が形成され、外周部は前記フレームに取り付けられ、前記中央部，前記外周部の間は、前記振動板の振動方向に可撓な柔軟部が形成されたダンパとを有するスピーカユニットに関する。
【背景技術】
【０００２】
従来のスピーカユニットの一例を示す図５を用いて説明する。図において、振動板１は、中央部が外周部よりへこみ、中央部に穴１ａが形成されている。この振動板１の外周部は、フレーム３の外周部に取り付けられている。
【０００３】
フレーム３の底部には、磁気回路５が設けられている。この磁気回路５は、フレーム３ｂの底部に設けられ、基部７ａ，基部７ａの中央部から振動板１の穴１ａ方向に延びる柱部７ｂとからなるボトムプレート（ヨーク）７と、ボトムプレート７の基部７ａ上で柱部７ｂを囲むように配置された円環状の磁石（磁力発生手段）９と、磁石９上に配置された円環状のトッププレート（ヨーク）１１とからなっている。
【０００４】
そして、ボトムプレート７の柱部７ｂの外周面とトッププレート１１の内周面との間の空間には、振動板１の振動方向（図において、矢印Ａ方向）と直交する磁界が発生する磁気ギャップＧが形成されている。
【０００５】
ボイスコイル１３は、筒状のボビン１５と、ボビン１５の外周面に巻回されたコイル１７とからなっている。
【０００６】
振動板１と、磁気回路５との間には、ダンパ１９が配置される。このダンパ１９の外周部は、フレーム３に取り付けられ、中央部には、穴１９ａが形成される。そして、この穴１９ａには、コイル１７が磁気回路５の磁気ギャップＧに位置するように、ボイスコイル１３のボビン１５が取り付けられている。さらに、中央部，外周部の間は、波形成形され、振動板１の振動方向に可撓な波形形成部（柔軟部）１９ｂが形成されている。
【０００７】
また、ボイスコイル１３のボビン１５は、振動板１の穴１ａにも取り付けられている。
【０００８】
次に、上記構成の作動を説明する。ボイスコイル１３のコイル１７は、振動板１の振動方向と直交する磁界が発生する磁気回路５の磁気ギャップＧに配置されているので、コイル１７に電気信号が流れると、コイル（ボイスコイル）１７（１３）に発生する駆動力により、振動板１が図５において矢印Ａ方向に振動し、音が放射される（例えば、特許文献１参照）。
【先行技術文献】
【特許文献】
【０００９】
【特許文献１】特開平８−５１６９５号公報（図１）
【発明の開示】
【発明が解決しようとする課題】
【００１０】
しかし、図５に示す構成のスピーカユニットにおいて、振動するダンパ１９の波形形成部１９ｂと振動する振動板１とが干渉しないように、また、振動するダンパ１９の穴（中央部）１９ａの周縁と磁気回路５とが干渉しないように、ダンパ１９の波形形成部１９ｂと振動板１との間にはクリアランスＣ１が、ダンパ１９と穴１９ａの周縁と磁気回路５との間にはクリアランスＣ２がそれぞれ必要である。
【００１１】
よって、これらのクリアランスＣ１，Ｃ２がスピーカユニットの高さＨに加算され、スピーカユニットの薄型化が困難であるという問題点があった。
【００１２】
本発明は、上記問題点に鑑みてなされたもので、その課題は、薄型化が図れるスピーカユニットを提供することにある。
【課題を解決するための手段】
【００１３】
課題を解決する第１の発明は、中央部が外周部よりへこみ、前記中央部に穴が形成された振動板と、外周部に前記振動板の外周部が取り付けられたフレームと、前記フレームの底部に設けられ、磁気発生手段，ヨークからなり、前記振動板の振動方向と直交する磁界が発生する磁気ギャップを有する磁気回路と、筒状のボビン，該ボビンの外周面に巻回されたコイルからなるボイスコイルと、前記振動板，前記磁気回路の間に配置され、外周部は前記フレームに取り付けられ、中央部には、前記コイルが前記磁気回路の磁気ギャップに位置するように、前記ボイスコイルのボビンが取り付けられ、前記中央部，前記外周部の間は、前記振動板の振動方向に可撓な柔軟部が形成されたダンパと、を有するスピーカユニットにおいて、前記ダンパの柔軟部,外周部は、前記ダンパの中央部より前記フレームの底部側にあることを特徴とするスピーカユニットである。
【００１４】
請求項２に係る発明は、前記振動板の外周形状は、細長形で、前記ダンパは、前記振動板の細長形状に対応した細長形状で、外周部の長手方向の両端部が前記フレームに取り付けられていることを特徴とする請求項１記載のスピーカシステムである。
【００１５】
請求項３に係る発明は、前記細長形状のダンパの短手方向の幅は、前記中央部より前記柔軟部，前記外周部の方が狭いことを特徴とする請求項２記載のスピーカシステムである。
【００１６】
尚、本明細書での「細長形」とは、長手側、短手形を有する形状で、例えば、トラック形状、角丸長方形、楕円形、またはそれらの形状に近似した形状をいい、限定するものではない。
【発明の効果】
【００１７】
請求項１に係る発明によれば、前記ダンパの柔軟部,外周部は、前記ダンパの中央部より前記フレームの底部側にあることにより、ダンパの柔軟部と振動板とが干渉しないクリアランス及びダンパの中央部と磁気回路とが干渉しないクリアランスを確保しつつ、スピーカユニットの薄型化を図ることができる。
【００１８】
請求項２に係る発明によれば、前記振動板の外周形状は、細長形で、前記ダンパは、前記振動板の細長形状に対応した細長形状であることにより、スピーカユニットの狭幅化が図れる。
【００１９】
また、前記ダンパは、外周部の長手方向の両端部が前記フレームに取り付けられていることにより、更に、スピーカユニットの狭幅化が図れる。
【００２０】
請求項３に係る発明によれば、前記細長形状のダンパの短手方向の幅は、前記中央部より前記柔軟部，前記外周部の方が狭いことにより、ダンパの柔軟部の側部にコイルへ電気信号を供給する錦糸線を配置することができる。振動板とダンパの間で、錦糸線を引き回す必要がないので、ダンパと錦糸線、錦糸線と振動板の干渉を考慮しなくてもよいので、スピーカユニットの薄型化を図ることができる。
【図面の簡単な説明】
【００２１】
【図１】実施形態のスピーカユニットの断面図である。
【図２】図１のダンパの斜視図である。
【図３】図１のダンパの平面図である。
【図４】図１のボイスコイルに対する錦糸線の配設を説明する図である。
【図５】従来のスピーカユニットの断面図である。
【発明を実施するための形態】
【００２２】
最初に、図１を用いて実施の形態のスピーカユニットの全体構成を説明する。図１は実施形態のスピーカユニットの断面図である。
【００２３】
図において、振動板２１の外周部の形状（振動方向（図において矢印Ｂ方向）と直交する面の形状）は、トラック形状（細長形状）で、振動板２１の中央部は、外周部よりへこみ、穴２１ａが形成されている。この振動板２１の外周部は、振動板２１と同様に外周部の形状がトラック形状で、天面が開放面となったフレーム２３の外周部に取り付けられている。
【００２４】
フレーム２３の底面の中央部には、穴２３ａが形成されている。この穴２３ａに磁気回路２５が設けられている。磁気回路２５は、穴２３ａに嵌合し、一方の端面が開放面となった筒状で、磁性体でなるヨーク２７と、ヨーク２７の底面に形成され、振動板２１の穴２１ａ方向に突出した突部２７ａ上に設けられ、振動板２１の振動方向に着磁された板状の第１磁石（磁力発生手段）２９と、第１磁石２９上に設けられ、磁性体でなるプレート（ヨーク）３１と、プレート３１上に設けられ、第１磁石２９と着磁方向と逆方向に着磁された第２磁石（磁力発生手段）３３とからなっている。
【００２５】
そして、プレート３１の外周面と、ヨーク２７の内周面との間には、振動板２１の振動方向と直交する磁界が発生する磁気ギャップＧが形成されている。
【００２６】
ボイスコイル４３は、断面形状がトラック形状の筒状のボビン４５と、ボビン４５の外周面に巻回されたコイル４７とからなっている。
【００２７】
振動板２１と、磁気回路２５との間には、ダンパ５１が配置される。
【００２８】
ここで、図１−図４を用いて、ダンパ５１の説明を行う。ダンパ５１の外周部の形状は、振動板２１のトラック形状（細長形状）に対応した細長形状で、外周部の長手方向の両端部には、フレーム２３に取り付けられる取付部５１ａ，５１ｂが形成されている。
【００２９】
ダンパ５１の中央部５１ｄには、ボイスコイル４３のボビン４５が挿通可能なトラック形状の穴５１ｃが形成されている。この穴５１ｃにボビン４５が挿通し、接着等の手法で、ボビン４５は、巻回されたコイル４７が磁気回路２５の磁気ギャップＧに位置するようにダンパ５１に取り付けられている。また、ダンパ５１の中央部５１ｄと取付部５１ａ，５１ｂとの間は、波形成形され、振動板２１の振動方向Ｂに可撓な波形形成部（柔軟部）５１ｅが形成されている。
【００３０】
ダンパ５１の波形形成部（柔軟部）５１ｄ,取付部（外周部）５１ａ，５１ｂは、の中央部５１ｄよりフレーム２３の底部側にあるように形成され、中央部５１ｄと、波形形成部（柔軟部）５１ｅとの間には、段差（図１においてＤ）が発生している。このため、ダンパ５１の波形形成部（柔軟部）５１ｅと振動板２１との間には、両者が干渉しないクリアランス（図１において、Ｃ３）が発生し、ダンパ５１の中央部５１ｄと磁気回路２５のヨーク２７の開放面側の端部との間には、両者が干渉しないクリアランス（図１においてクリアランスＣ４）が発生している。更に、細長形状のダンパ５１の短手方向の幅は、中央部５１ｄより波形形成部（柔軟部）５１ｅ，取付部（外周部）５１ａ，５１ｂの方が狭くなるように形成されている。
【００３１】
そして、図３，図４に示すようにダンパ５１の波形形成部５１ｅの側部に、コイル４７へ電気信号を供給する錦糸線６１，６３が配置されている。
【００３２】
次に、上記構成の作動を説明する。ボイスコイル４３のコイル４７は、振動板２１の振動方向と直交する磁界が発生する磁気回路２５の磁気ギャップＧに配置されているので、コイル４７に電気信号が流れると、コイル（ボイスコイル）４７（４３）に発生する駆動力により、振動板２１が図１において矢印Ｂ方向に振動し、音が放射される。
【００３３】
上記構成によれば、以下のような効果が得られる。
【００３４】
(1) ダンパ５１の波形形成部（柔軟部）５１ｅ,取付部（外周部）５１ａ，５１ｂは、ダンパ５１の中央部５１ｄよりフレーム２３の底部側にあることにより、ダンパ５１の波形形成部（柔軟部）５１ｅと振動板２１とが干渉しないクリアランス（図１においてＣ３）及びダンパ５１の中央部５１ｄと磁気回路２５とが干渉しないクリアランス（図１においてＣ４）を確保しつつ、スピーカユニットの薄型化を図ることができる。
【００３５】
(2) 振動板２１の外周形状は、細長形で、ダンパ５１は、振動板２１の細長形状に対応した細長形状であることにより、スピーカユニットの狭幅化が図れる。
【００３６】
(3) ダンパ５１は、外周部の長手方向の両端部がフレーム２３に取り付けられていることにより、更に、スピーカユニットの狭幅化が図れる。
【００３７】
(4) 細長形状のダンパ５１の短手方向の幅は、中央部５１ｄより波形形成部（柔軟部）５１ｅ，取付部（外周部）５１ａ，５１ｂの方が狭いことにより、ダンパ５１の波形形成部５１ｅの側部に錦糸線６１，６３を配置することができる。振動板２１とダンパ５１の間で、錦糸線６１，６３を引き回す必要がないので、ダンパ５１と錦糸線６１，６３との干渉、錦糸線６１，６３と振動板２１との干渉を考慮しなくてもよいので、スピーカユニットの薄型化を図ることができる。
【００３８】
尚、本発明は、上記実施形態例に限定するものではない。上記実施形態例では、振動板２１の外周形状がトラック形状(細長形状)のスピーカユニットで説明を行ったが、振動板の外周形状が円形のスピーカユニットで、ダンパの柔軟部,外周部が、ダンパの中央部よりフレームの底部側にあれば、ダンパの柔軟部と振動板とが干渉しないクリアランス及びダンパの中央部と磁気回路とが干渉しないクリアランスを確保しつつ、スピーカユニットの薄型化を図ることができる。
【符号の説明】
【００３９】
２３  フレーム
５１ダンパ
５１ａ，５１ｂ  取付部（外周部）
５１ｄ  中央部
５１ｅ  波形形成部（柔軟部）
【図１】
2012100190.tif 000003
【図２】
2012100190.tif 000004
【図３】
2012100190.tif 000005
【図４】
2012100190.tif 000006
【図５】
2012100190.tif 000007